(57)【要約】  一実施形態に係る健康補助システムは、尿中の特定の成分に応じた出力信号を出力するセンサーと、センサーと接続される送信機と、ユーザに所持されるユーザ端末とを有する。ユーザ端末は、ユーザに対応する識別子を記憶する記憶部と、送信機から無線信号を受信する無線受信部と、無線信号により示される識別子と記憶部に記憶されている識別子とが適合した場合、データにより示される特定の成分に基づいてユーザの健康状態の解析をする解析システムに対し、当該データを出力する出力部と、解析システムから解析の結果に応じた情報を取得する取得部とを有する。
2019187018.tif 000002
【特許請求の範囲】
【請求項１】
尿中の特定の成分に応じた出力信号を出力するセンサーと、
前記センサーと接続される送信機と、
ユーザに所持されるユーザ端末と
を有し、
前記送信機は、
前記センサーの前記出力信号が入力される入力部と、
自身の識別子を記憶する記憶部と、
前記出力信号に応じたデータ及び前記識別子を示す無線信号を送信する無線通信部と
を有し、
前記ユーザ端末は、
前記ユーザに対応する識別子を記憶する記憶部と、
前記送信機から前記無線信号を受信する無線受信部と、
前記無線信号により示される識別子と前記記憶部に記憶されている識別子とが適合した場合、前記データにより示される前記特定の成分に基づいて前記ユーザの健康状態の解析をする解析システムに対し、当該データを出力する出力部と、
前記解析システムから前記解析の結果に応じた情報を取得する取得部と
を有する
健康補助システム。
【請求項２】
前記センサーは、
基材と、
前記基材に取り付けられたセンサー素子と、
前記送信機を脱着可能に固定し、かつ前記センサーの前記出力信号の伝送経路を有する脱着機構と
を有する
請求項１に記載の健康補助システム。
【請求項３】
前記センサーは、前記センサー素子を覆うシートを有し、
前記基材は平面状の可燃物で形成され、
前記シートは、前記基材より柔らかい紙で形成される
請求項２に記載の健康補助システム。
【請求項４】
前記シートは、他の領域よりも薄い薄領域を有し、
前記基材に前記シートが取り付けられた状態で、前記薄領域が前記センサー素子を覆う
請求項３に記載の健康補助システム。
【請求項５】
前記シートは、ポケットを有し、
前記センサー素子は、前記ポケットに収納される
請求項３又は４に記載の健康補助システム。
【請求項６】
前記基材は、前記センサー素子が取り付けられた面において、当該基材を折りたたむための粘着層を有する
請求項３乃至５のいずれか一項に記載の健康補助システム。
【請求項７】
前記シートのうち前記基材と対向する面の、前記粘着層を覆う位置において当該シートに接着された保護フィルムを有し、
前記シートが前記基材に取り付けられた状態で前記粘着層は露出せず、
前記基材から前記シートを剥がすと前記粘着層が露出する
請求項６に記載の健康補助システム。
【請求項８】
前記基材が、被験者が着用する下着又はオムツである
請求項２乃至７のいずれか一項に記載の健康補助システム。
【請求項９】
前記センサー素子は、
尿中の第１成分を検知するための第１センサー素子と、
尿中の、前記第１成分と異なる第２成分を検知するための第２センサー素子と
を有する
請求項２乃至８のいずれか一項に記載の健康補助システム。
【請求項１０】
前記送信機は、
前記第１センサー素子の出力信号が入力される第１端子と、
前記第２センサー素子の出力信号が入力される第２端子と、
前記第１端子を介して入力される信号及び前記第２端子を介して入力される信号を時分割で処理する処理部と
を有する請求項９に記載の健康補助システム。
【請求項１１】
前記センサーは、
前記第１センサー素子の出力信号及び前記第２センサー素子の出力信号を時分割で選択する選択回路と、
前記選択回路により選択された信号を出力する出力端子と
を有する請求項９に記載の健康補助システム。
【請求項１２】
前記送信機は、前記ユーザの体に装着されるウェアラブルデバイスである
請求項１乃至１１のいずれか一項に記載の健康補助システム。
【請求項１３】
前記ウェアラブルデバイスは、前記センサーと電気的な接続を得るための電極が露出した接触部を有する
請求項１２に記載の健康補助システム。
【請求項１４】
前記ウェアラブルデバイスは、前記センサーと電磁誘導による非接触の信号伝送を行う伝送部を有する
請求項１２に記載の健康補助システム。
【請求項１５】
前記記憶部は、各々異なる識別子に対応する複数の記憶領域を有し、
前記送信機は、前記複数の記憶領域のいずれかの指定を受け付ける受け付け部を有し、
前記記憶部は、前記複数の記憶領域のうち前記受け付け部を介して指定された一の記憶領域に、前記出力信号により示されるデータを記憶し、
前記無線通信部は、前記指定された一の記憶領域に記憶されている前記データ及び当該一の記憶領域に対応する識別子を示す前記無線信号を送信する
請求項１乃至１４のいずれか一項に記載の健康補助システム。
【請求項１６】
前記健康補助システムは、前記解析システムを有し、
前記解析システムは、
前記特定の成分の検知結果を時系列で示す時系列データを、複数のユーザの各々について記憶する記憶部と、
前記複数のユーザのうち対象となるユーザについて、当該ユーザの時系列データを用いて、前記検知結果に関連する関連情報を生成する生成部と、
前記ユーザに対応するユーザ端末に対し、前記関連情報を出力する出力部と
を有する
請求項１乃至１５に記載の健康補助システム。
【請求項１７】
前記ユーザ端末は、当該ユーザが摂取した飲食物を特定する情報の入力を受け付ける受け付け部を有し、
前記出力部は、前記ユーザが摂取した飲食物に関する情報を出力する
請求項１６に記載の健康補助システム。
【請求項１８】
前記生成部は、前記飲食物に関する情報及び前記データに応じて前記関連情報を生成する
請求項１７に記載の健康補助システム。
【請求項１９】
前記生成部は、尿中の前記特定成分の経時変化及び前記飲食物を摂取したタイミングを示す画像を前記関連情報として生成する
請求項１８に記載の健康補助システム。
【請求項２０】
前記送信機は、前記センサーへの給電機能を有する
請求項１乃至１９に記載の健康補助システム。
【請求項２１】
尿中の特定の成分に応じた出力信号を出力するセンサー、前記センサーと接続される送信機、及びユーザに所持されるユーザ端末を有する健康補助システムを用いた健康補助方法であって、
前記送信機が、前記センサーの出力信号に応じたデータ及び当該送信機の前記識別子を示す無線信号を送信するステップと、
前記ユーザ端末が、前記送信機から無線信号を受信するステップと、
前記ユーザ端末が、前記無線信号により示される識別子と前記ユーザに対応する識別子とが適合した場合、前記データにより示される前記特定の成分に基づいて前記ユーザの健康状態の解析をする解析システムに対し、当該データを出力するステップと、
前記解析システムから前記解析の結果に応じた情報を取得するステップと
を有する健康補助方法。
【請求項２２】
基材と、
前記基材に設けられた第１配線と、
前記基材に設けられた第２配線と、
前記第１配線及び前記第２配線に接続され、尿中の特定の成分に応じた出力信号を出力するセンサー素子と、
前記出力信号を示すデータを他の装置に無線送信する送信機を脱着可能に固定し、かつ前記第１配線及び前記第２配線に接続され、前記第１配線及び前記第２配線を介して伝送される出力信号の伝送経路を有する脱着機構と
を有するセンサー。
【請求項２３】
前記基材が、被験者により着用される下着又はオムツである
請求項２２に記載のセンサー。
【請求項２４】
尿中の特定の成分に応じた出力信号を出力するセンサーと、
前記センサーと接続される送信機と
を有し、
前記送信機は、
前記センサーの出力信号が入力される入力部と、
自身の識別子を記憶する記憶部と、
前記出力信号に応じたデータ及び前記識別子を示す無線信号を、ユーザに所持されるユーザ端末に送信する無線通信部と
を有する
健康補助システム。
【発明の詳細な説明】
【技術分野】
【０００１】
本発明は、被験者から分泌された体液の測定結果を用いて被験者の健康管理の補助をする技術を提供する。
【背景技術】
【０００２】
被験者の尿を測定した結果を用いて、その被験者の健康状態を監視するシステムが知られている。例えば特許文献１には、尿を貯める容器（コップ）に尿の重量を計測するセンサーを取り付けることによって尿の量を計測するシステムが記載されている。また、特許文献２には、便器に取り付けた尿センサーを用いて被験者の尿中の成分を測定し、その結果を用いて被験者の疾病を推測するシステムが記載されている。
【先行技術文献】
【特許文献】
【０００３】
【特許文献１】特開２００８−２０６５９２号公報
【特許文献２】特許第６１００４４７号公報
【発明の開示】
【発明が解決しようとする課題】
【０００４】
特許文献１の技術においては尿を容器に貯める必要があり、尿が手に付着したりする場合があるなど取り扱いに問題があった。また特許文献２の技術においては便器にセンサーを取り付ける必要があるため尿を測定できる場所に制限があるという問題があった。【０００５】
これに対し本発明は、被験者から分泌された体液の測定結果を用いて被験者の健康管理の補助をするシステムにおいて、場所の制限をより少なく、かつ取り扱いをより正確で容易にする技術を提供する。
【課題を解決するための手段】
【０００６】
本発明は、尿中の特定の成分に応じた出力信号を出力するセンサーと、前記センサーと接続される送信機と、ユーザに所持されるユーザ端末とを有し、前記送信機は、前記センサーの出力信号が入力される入力部と、自身の識別子を記憶する記憶部と、前記出力信号に応じたデータ及び前記識別子を示す無線信号を送信する無線通信部とを有し、前記ユーザ端末は、前記ユーザに対応する識別子を記憶する記憶部と、前記送信機から無線信号を受信する無線受信部と、前記無線信号により示される識別子と前記記憶部に記憶されている識別子とが適合した場合、前記データにより示される前記特定の成分に基づいて前記ユーザの健康状態の解析をする解析システムに対し、当該データを出力する出力部と、前記解析システムから前記解析の結果に応じた情報を取得する取得部とを有する健康補助システムを提供する。【０００７】
前記センサーは、基材と、前記基材に取り付けられたセンサー素子と、前記送信機を脱着可能に固定し、かつ前記センサーの出力信号の伝送経路を有する脱着機構とを有してもよい。【０００８】
前記センサーは、前記センサー素子を覆うシートを有し、前記基材は平面状の可燃物で形成され、前記シートは、前記基材より柔らかい紙で形成されてもよい。【０００９】
前記シートは、他の領域よりも薄い薄領域を有し、前記基材に前記シートが取り付けられた状態で、前記薄領域が前記センサー素子を覆ってもよい。【００１０】
前記シートは、ポケットを有し、前記センサー素子は、前記ポケットに収納されてもよい。【００１１】
前記基材は、前記センサー素子が取り付けられた面において、当該基材を折りたたむための粘着層を有してもよい。【００１２】
この健康補助システムは、前記シートのうち前記基材と対向する面の、前記粘着層を覆う位置において当該シートに接着された保護フィルムを有し、前記シートが前記基材に取り付けられた状態で前記粘着層は露出せず、前記基材から前記シートを剥がすと前記粘着層が露出してもよい。【００１３】
前記基材が、前記ユーザにより着用する下着又はオムツであってもよい。【００１４】
前記センサー素子は、尿中の第１成分を検知するための第１センサー素子と、尿中の、前記第１成分と異なる第２成分を検知するための第２センサー素子とを有してもよい。【００１５】
前記送信機は、前記第１センサー素子の出力信号が入力される第１端子と、前記第２センサー素子の出力信号が入力される第２端子と、前記第１端子を介して入力される信号及び前記第２端子を介して入力される信号を時分割で処理する処理部とを有してもよい。【００１６】
前記センサーは、前記第１センサー素子の出力信号及び前記第２センサー素子の出力信号を時分割で選択する選択回路と、前記選択回路により選択された信号を出力する出力端子とを有してもよい。【００１７】
前記送信機は、前記ユーザの体に装着されるウェアラブルデバイスであってもよい。【００１８】
前記ウェアラブルデバイスは、前記センサーと電気的な接続を得るための電極が露出した接触部を有してもよい。【００１９】
前記ウェアラブルデバイスは、前記センサーと電磁誘導による非接触の信号伝送を行う伝送部を有してもよい。【００２０】
前記記憶部は、各々異なる識別子に対応する複数の記憶領域を有し、前記送信機は、前記複数の記憶領域のいずれかの指定を受け付ける受け付け部を有し、前記記憶部は、前記複数の記憶領域のうち前記受け付け部を介して指定された一の記憶領域に、前記出力信号により示されるデータを記憶し、前記無線通信部は、前記指定された一の記憶領域に記憶されているデータを及び当該一の記憶領域に対応する識別子を示す無線信号を送信してもよい。【００２１】
前記健康補助システムは、前記解析システムを有し、前記解析システムは、前記特定の成分の検知結果を時系列で示す時系列データを、複数のユーザの各々について記憶する記憶部と、前記複数のユーザのうち対象となるユーザについて、当該ユーザの時系列データを用いて、前記検知結果に関連する関連情報を生成する生成部と、前記ユーザに対応するユーザ端末に対し、前記関連情報を出力する出力部とを有してもよい。【００２２】
前記ユーザ端末は、当該ユーザが摂取した飲食物を特定する情報の入力を受け付ける受け付け部を有し、前記出力部は、前記ユーザが摂取した飲食物に関する情報を出力してもよい。【００２３】
前記生成部は、前記飲食物に関する情報及び前記データに応じて前記関連情報を生成してもよい。【００２４】
前記生成部は、尿中の前記特定成分の経時変化及び前記飲食物を摂取したタイミングを示す画像を前記関連情報として生成してもよい。【００２５】
前記送信機は、前記センサーへの給電機能を有してもよい。【００２６】
また、本発明は、尿中の特定の成分に応じた出力信号を出力するセンサー、前記センサーと接続される送信機、及びユーザに所持されるユーザ端末を有する健康補助システムを用いた健康補助方法であって、前記送信機が、前記センサーの出力信号に応じたデータ及び当該送信機の前記識別子を示す無線信号を送信するステップと、前記ユーザ端末が、前記送信機から無線信号を受信するステップと、前記ユーザ端末が、前記無線信号により示される識別子と前記ユーザに対応する識別子とが適合した場合、前記データにより示される前記特定の成分に基づいて前記ユーザの健康状態の解析をする解析システムに対し、当該データを出力するステップと、前記解析システムから前記解析の結果に応じた情報を取得するステップとを有する健康補助方法を提供する。【００２７】
さらに、本発明は、基材と、前記基材に設けられた第１配線と、前記基材に設けられた第２配線と、前記第１配線及び前記第２配線に接続され、尿中の特定の成分に応じた出力信号を出力するセンサー素子と、前記出力信号を示すデータを他の装置に無線送信する送信機を脱着可能に固定し、かつ前記第１配線及び前記第２配線に接続され、前記第１配線及び前記第２配線を介して伝送される出力信号の伝送経路を有する脱着機構とを有するセンサーを提供する。【００２８】
前記基材が、被験者により着用される下着又はオムツであってもよい。【００２９】
さらに、本発明は、尿中の特定の成分に応じた出力信号を出力するセンサーと、前記センサーと接続される送信機とを有し、前記送信機は、前記センサーの出力信号が入力される入力部と、自身の識別子を記憶する記憶部と、前記出力信号に応じたデータ及び前記識別子を示す無線信号を、ユーザに所持されるユーザ端末に送信する無線通信部とを有する健康補助システムを提供する。
【図面の簡単な説明】
【００３０】
【図１】第１実施形態に係る健康補助システム１の概要を示す図。
【図２】尿センサー１０の構成の一例を示す図。
【図３】尿センサー１０の分解図。
【図４】尿センサー１０の断面構造を例示する図。
【図５】尿センサー１０の構成の別の例を示す図。
【図６】送信機２０の構成を例示する図。
【図７】送信機２０のハードウェア構成を例示する図。
【図８】測定データの記憶領域を例示する図。
【図９】送信機２０の外観を例示する図。
【図１０】ユーザ端末３０の機能構成を例示する図。
【図１１】ユーザ端末３０のハードウェア構成を例示する図。
【図１２】解析システム４０の機能構成を例示する図。
【図１３】解析システム４０のハードウェア構成を例示する図。
【図１４】健康補助システム１の動作の概要を例示する図。
【図１５】測定処理の詳細を例示するシーケンスチャート。
【図１６】測定値の時間変化を例示する図。
【図１７】解析処理の詳細を例示するシーケンスチャート。
【図１８】検知結果の時系列を例示する図。
【図１９】情報提供処理の詳細を例示する図。
【図２０】送信機２０の別の例を示す図。
【図２１】健康食品の効果実証を例示する図。
【符号の説明】
【００３１】
１…健康補助システム、１０…尿センサー、１１…基材、１２…センサー素子、１３…脱着機構、１４…配線、１５…シート、２０…送信機、２１…入力部、２２…信号処理部、２３…記憶部、２４…無線通信部、２５…制御部、２６…電源部、２７…検知部、３０…ユーザ端末、３１…記憶部、３２…無線通信部、３３…出力部、３４…取得部、３５…通信部、３６…制御部、３７…ＵＩ部、４０…解析システム、４１…通信部、４２…記憶部、４３…解析部、４４…生成部、４５…出力部、４６…制御部、５０…尿センサー、１３１…スナップフィット１３１、１３２…スナップフィット、１５１…ポケット、２１１…第１端子、２１２…第２端子、２２１…Ａ／Ｄ変換回路、２２２…選択回路、２２３…メモリコントローラー、２３１…ＲＡＭ、２３２…ＲＯＭ、２４１…チップセット、２４２…アンテナ、２５１…プロセッサ、２６１…電源制御回路、２６２…電池、３０１…ＣＰＵ、３０２…メモリ、３０３…ストレージ、３０４…ＬＴＥチップ、３０５…ＷｉＦｉチップ、３０６…アンテナ、３０７…タッチスクリーン、３０８…スピーカ、４０１…ＣＰＵ、４０２…メモリ、４０３…ストレージ、４０４…ＮＩＣ
【発明を実施するための形態】
【００３２】
１．構成
図１は、第１実施形態に係る健康補助システム１の概要を示す図である。健康補助システム１は、ユーザの尿における特定の成分を検知し、その検知結果を用いてユーザに対して健康補助のための情報を提供するシステムである。健康補助システム１は、尿センサー１０、送信機２０、ユーザ端末３０、及び解析システム４０を有する。尿センサー１０は、尿中の特定成分を検知する。送信機２０は、尿センサー１０による検知結果をユーザ端末３０に送信する。ユーザ端末３０は、送信機２０から検知結果を受信し、この検知結果を解析システム４０に送信する。解析システム４０は、検知結果を用いてユーザの健康状態を解析する。解析システム４０は、解析結果に応じた情報をユーザ端末３０に送信する。ユーザ端末３０は、解析結果に応じた情報をユーザに提供する。なお図１では、尿センサー１０、送信機２０、ユーザ端末３０がそれぞれ１台ずつ示されているが、健康補助システム１は、これらのうち少なくとも一部を複数、有してもよい。
【００３３】
１−１．尿センサー１０
図２は、尿センサー１０の構成の一例を示す図である。この例において、尿センサー１０は、被験者が排尿後に尿のついた陰茎又は陰唇等を拭き取るためのペーパーと組み合わせて用いられる。尿センサー１０は、基材１１、センサー素子１２、脱着機構１３を有する。基材１１は、尿センサー１０の機械的な強度及び取り扱いやすいサイズを確保するための部材である。センサー素子１２は、尿中の特定成分に応じた信号を出力する。センサー素子１２としては、例えば酵素を用いたバイオセンサー、又はダイヤモンド電極を用いたセンサーが用いられる。酵素を用いたバイオセンサーとしては、例えば、Nakamuraらの論文（Hideaki Nakamura, Yosuke Tsuboi and Masao Gotoh, "A simple potentiometric urine glucose biosensor using a paper-based disposable reagent sheet and a mobile pH meter", Current Topics in Analytical Chemistry, 9,pp.71-75 (2012)）に記載されているセンサーを用いることができる。ダイヤモンド電極を用いたセンサーとしては、例えば、Ogataらの文献（G. Ogata, Y. Ishii, K. Asai, Y. Sano, F. Nin, T. Yoshida, T. Higuchi, S. Sawamura, T. Ota, K. Hori, K. Maeda, S. Komune, K. Doi, M. Takai, I. Findlay, H. Kusuhara, Y. Einaga, H. Hibino, "A microsensing system for the in vivo real-time detection of local drug kinetics", Nature Biomed. Eng., 1, 654-666 (2017)）に記載されているセンサーを用いることができる。
【００３４】
センサー素子１２は、基材１１に取り付けられる。この例においては、１つの基材１１に、複数のセンサー素子１２が取り付けられる。複数のセンサー素子１２は、各々尿中の異なる成分に反応する。一例において、尿センサー１０は、センサー素子１２Ａ、１２Ｂ、１２Ｃ、及び１２Ｄの４つのセンサー素子を有する。センサー素子１２Ａ（第１センサー素子の一例）は尿のｐＨを、センサー素子１２Ｂ（第２センサー素子の一例）は尿中の尿酸値を、センサー素子１２Ｃは尿中のシュウ酸値を、センサー素子１２Ｄは尿中の尿糖値を、それぞれ測定する。なおｐＨは尿中の水素イオン（第１成分の一例）濃度を表しているので、「尿中の特定成分」の検知結果を表しているといえる。また、尿酸は、尿中の第２成分の一例である。
【００３５】
脱着機構１３は、基材１１を送信機２０に対し脱着可能に固定するための機構である。脱着機構１３はセンサー素子１２からの出力信号を伝送する伝送経路を形成する。脱着機構１３は、少なくとも一部が導電性材料で形成されており、出力信号はこの導電性材料を介して伝送される。
【００３６】
この例において、基材１１は、平面状の形状を有しており、可燃物で形成される。可燃物としては、例えば、布又は紙が用いられる。基材１１にはスナップフィット１３１及びスナップフィット１３２が形成される。スナップフィット１３１及びスナップフィット１３２は、脱着機構１３の一例である。基材１１には、配線１４が形成される。配線１４は、センサー素子１２の出力信号を、脱着機構１３（スナップフィット１３１及びスナップフィット１３２）まで伝送するための配線である。１個のセンサー素子１２に対し、１組（２本）の配線１４が用いられる。これら２本の配線を区別するときは、配線１４［１］及び配線１４［２］という。配線１４［１］及び配線１４［２］は、それぞれ第１配線及び第２配線の一例である。センサー素子１２は、配線１４［１］及び配線１４［２］に接続され、尿中の特定の成分に応じた出力信号を出力する。尿センサー１０がｋ個（ｋは２以上の自然数）のセンサー素子１２を有する場合、ｋ組の配線１４が用いられる。ｋ個のセンサー素子１２からの信号を空間分割で出力する場合、脱着機構１３は、例えば、２k本の配線１４及び２k個のスナップフィットを有する。なおここでは図面を簡単にするため、２本の配線１４及び２個のスナップフィットのみ図示している。尿センサー１０は、さらに、センサー素子１２を覆うシート１５を有する。シート１５は、基材１１よりも柔らかい材料、具体的には、基材１１よりもこわさ（剛度）の低い材料で形成される。
【００３７】
図３は、尿センサー１０の分解図である。尿センサー１０は、基材１１（脱着機構１３を含む）、センサー素子１２、配線１４、及びシート１５により形成される。この例において、尿センサー１０は使い捨て（ディスポーザブル）である。ユーザは、排尿後に陰茎についた尿を尿センサー１０のうちシート１５で覆われた面で拭き取る。尿はシート１５を透過し、センサー素子１２に達する。センサー素子１２は尿中の特定成分を測定する。測定後、ユーザは、基材１１からシート１５を剥がす。ユーザは、シート１５をトイレに流す。ユーザは基材１１を折りたたみ、ゴミ箱に捨てる。基材１１のうちセンサー素子１２が取り付けられた面の裏面には、基材１１を折りたたむための粘着層１１１が形成される。シート１５のうち基材１１と対向する面において、粘着層１１１と接する領域には保護フィルム１５３が接着されている。シート１５が基材１１に取り付けられた状態において、粘着層１１１は保護フィルム１５３で覆われ、表面には露出しない。基材１１からシート１５を剥がすと保護フィルム１５３が粘着層１１１から剥がれ、粘着層１１１が露出する。なおこれは捨て方の一例であり、実際には尿センサー１０が使用される地域の法律等に従って分別される。
【００３８】
図４は、尿センサー１０の断面構造を例示する図である。図４は、基材１１を正面から見たときの、基材１１の中心を通る断面（図２のIV−IV断面）を示す図である。この例で、シート１５は、基材１１側の面にポケット１５１を有する。センサー素子１２は、ポケット１５１に収納される。ポケット１５１の基材１１側の面１１５１は、例えば接着剤により基材１１に接着される。シート１５のうちセンサー素子１２を覆う領域１５２は、他の領域よりも薄い（薄領域の一例）。これは、尿がセンサー素子１２まで到達しやすくするためである。シート１５には、ポケット１５１の周辺にミシン目が設けられており、ポケット１５１以外の部分を切り離して捨てることができる。
【００３９】
この例において、尿センサー１０自体は電源（電池）を有しておらず、他の装置（この例では送信機２０）から電力の供給を受けて動作する。
【００４０】
図５は、尿センサー１０の構成の別の例を示す図である。図２〜４において例示した尿センサー１０は、ユーザが自分の手で尿センサー１０を持って残尿を拭くためのものであった。図５の例においては、基材１１が下着（特に男性用下着）である。基材１１において、股間に相当する位置にセンサー素子１２が取り付けられる。この例では、センサー素子１２のみが使い捨てであり、基材１１（下着部分）は繰り返し使用される。この尿センサー１０で用いるため、交換用のセンサー素子１２が販売される。センサー素子１２の裏面には粘着層が設けられる。粘着層は例えば保護フィルムで覆われた状態で販売される。ユーザは、基材１１である下着を穿いている。ユーザは、排尿の前にセンサー素子１２を準備し、基材１１に貼り付ける。ユーザは、排尿後、センサー素子１２が貼り付けられた基材１１（下着）を穿く。基材１１を穿くと残尿がセンサー素子１２に触れ、センサー素子１２は特定成分の検知結果を示す信号を出力する。
【００４１】
１−２．送信機２０
図６は、送信機２０の機能構成を例示する図である。送信機２０は、尿センサー１０により検知された情報をユーザ端末３０に送信するための装置である。尿センサー１０が使い捨てであるのに対し、送信機２０は繰り返し使用される。
【００４２】
送信機２０は、入力部２１、信号処理部２２、記憶部２３、無線通信部２４、制御部２５、及び電源部２６を有する。入力部２１は、尿センサー１０から出力信号の入力を受け付ける。信号処理部２２は、各種の信号処理を行う。信号処理部２２が行う処理には、例えば、入力部２１が受け付けた信号をデータ化して記憶部２３に記憶する処理が含まれる。記憶部２３は、各種のデータを記憶する。無線通信部２４は、所定の通信規格に従って、他の装置と無線通信を行う。この通信規格は、例えば、IEEE 802.15.1、すなわちいわゆるBluetooth（登録商標）である。制御部２５は、送信機２０の他の要素を制御する。電源部２６は、送信機２０及び尿センサー１０の動作に用いられる電力を供給する給電部（給電機能）の一例である。
【００４３】
図７は、送信機２０のハードウェア構成を例示する図である。送信機２０は、ｎ個の入力端子（第１端子２１１［１］及び第２端子２１１［２］を含む）、Ａ／Ｄ変換回路２２１、選択回路２２２、メモリコントローラー２２３、ＲＡＭ２３１、ＲＯＭ２３２、チップセット２４１、アンテナ２４２、プロセッサ２５１、電源制御回路２６１、及び電池２６２を有する。第１端子２１１［１］、第２端子２１１［２］、…第ｎ端子２１１［ｎ］を含む複数（ｎ≧２）の入力端子は、尿センサー１０が複数のセンサー素子１２を有する場合に対応するための端子である。送信機２０は、最大でｎ個のセンサー素子１２を有する尿センサー１０に対応する。第ｋ端子２１１［ｋ］を介して入力される信号を、信号Ｓ［ｋ］という。ｋは、１≦ｋ≦ｎを満たす自然数である。Ａ／Ｄ変換回路２２１は、各入力端子を介して入力された信号（アナログ信号）をデジタル信号に変換する。選択回路２２２は、ｎ個の入力信号の中から１つの信号を選択し、選択した信号を出力する。この例において、選択回路２２２は、ｎ個の入力信号の中から１つの信号を順番に繰り返し選択する。具体的には、信号Ｓ［１］、Ｓ［２］、…、Ｓ［ｎ］と信号Ｓ［１］からＳ［ｎ］まで順番に選択した後、再び信号Ｓ［１］から順番に選択する。すなわち選択回路２２２は、信号Ｓ［１］からＳ［ｎ］を時分割で選択する。メモリコントローラー２２３は、選択回路２２２から出力される信号に従ってデータをＲＡＭ２３１に書き込む。尿センサー１０からの出力信号をデータ化したものを測定データという。
【００４４】
図８は、測定データの記憶領域を例示する図である。ＲＡＭ２３１において、測定データの記憶領域はｎ個に区分されている（記憶領域Ａ［１］からＡ［ｎ］）。記憶領域の区分数は、入力端子の数（対応可能な最大のセンサー素子１２の数）と等しい。記憶領域Ａ［ｋ］は、信号Ｓ［ｋ］のデータを記憶する。各記憶領域は、最新の１回ぶんの測定データを記憶する。
【００４５】
再び図７を参照する。ＲＡＭ２３１は、測定データ及びその他のデータを記憶する揮発性の記憶装置である。ＲＯＭ２３２は、プロセッサ２５１が実行するプログラム等を記憶した不揮発性の記憶装置である。この例において、ＲＯＭ２３２は、複数の送信機２０の各々を特定するための識別子を示すデータを記憶する。以下このデータを「識別子データ」といい、送信機２０の識別子を「送信機識別子」という。この識別子により、健康補助システム１において複数の送信機２０が用いられる場合であっても、各送信機２０を他と区別することができる。チップセット２４１及びアンテナ２４２は、前述の通信規格に従って無線通信するための回路群及びアンテナである。プロセッサ２５１は、送信機２０の他の要素を制御するためのマイクロコントローラである。電池２６２は、送信機２０及び尿センサー１０を駆動するための電力を供給する電池であり、一次電池であっても二次電池であってもよい。電源制御回路２６１は、送信機２０の電源のオンオフを制御する回路である。
【００４６】
この例において、プロセッサ２５１は、ＲＡＭ２３１における測定データの複数の記憶領域の中から一の記憶領域を順に指定し、指定した記憶領域から測定データを読み出す。プロセッサ２５１は、測定データに対し、記憶領域の識別子を付加する。図８で説明したように記憶領域とセンサー素子１２とは一対一に対応しているので、記憶領域の識別子はセンサー素子１２の識別子に相当する（この点は後述する）。プロセッサ２５１は、測定データと記憶領域の識別子との組を送信するよう、チップセット２４１を制御する。
【００４７】
図５と図６との関係に関し、第１端子２１１及び第２端子２１２は、入力部２１の一例である。Ａ／Ｄ変換回路２２１、選択回路２２２、及びメモリコントローラー２２３は、信号処理部２２の一例である。ＲＡＭ２３１及びＲＯＭ２３２は、記憶部２３の一例である。チップセット２４１及びアンテナ２４２は、無線通信部２４の一例である。プロセッサ２５１は、制御部２５の一例である。電源制御回路２６１及び電池２６２は、電源部２６の一例である。
【００４８】
図９は、送信機２０の外観を例示する図である。この例において、送信機２０は、筐体２８及び脱着機構２９を有する。筐体２８は、プロセッサ２５１等の要素を保護し、取り扱いを容易にするための筐体である。筐体２８は、電池２６２を交換可能とするため、少なくとも一部が開閉可能な構造を有していてもよい。脱着機構２９は、尿センサー１０の脱着機構１３との間で脱着を行うための機構であり、一例としてはスナップフィットである。
【００４９】
１−３．ユーザ端末３０
図１０は、ユーザ端末３０の機能構成を例示する図である。ユーザ端末３０は、送信機２０から測定データを受信し、さらに、測定データの解析により得られた情報を表示する。ユーザ端末３０は、尿センサー１０を使用するユーザにより所持される。
【００５０】
ユーザ端末３０は、記憶部３１、無線通信部３２、出力部３３、取得部３４、通信部３５、制御部３６、及びＵＩ部３７を有する。記憶部３１は、各種のデータを記憶する。記憶部３１が記憶するデータには、ユーザ端末３０のユーザを特定する識別子（以下「ユーザ識別子」という）が含まれる。さらに、記憶部３１が記憶するデータには、ユーザ識別子と送信機識別子との対応関係（ペア）を特定する情報が含まれる。本実施形態において、送信機２０は不特定多数のユーザに共有されるものではなく、特定の単数（又は少数）のユーザに占有されるものである。ある送信機２０を使用するユーザは限定されている。ユーザは、自分が使用する送信機２０の送信機識別子を何らかの方法で取得し、自身のユーザ識別子と対応付けて記憶部３１に記憶する。
【００５１】
無線通信部３２は、送信機２０から無線信号を受信する無線受信部の一例である。無線通信部３２は、送信機２０の無線通信部２４と同じ通信規格（例えばBluetooth（登録商標））に準拠する。出力部３３は、受信した無線信号により示される識別子と記憶部３１に記憶されている識別子とが適合した場合、すなわち、送信機２０から受信した送信機識別子と、記憶部３１においてユーザ識別子と対応付けて記憶されている送信機識別子とが一致した場合、出力部３３は、送信機２０から受信した測定データを、解析システム４０に出力する。なお、ここで送信機識別子の一致を確認するのは、他のユーザが使用する送信機２０から送信されるデータを排除するためである。送信機２０から受信した送信機識別子と、記憶部３１においてユーザ識別子と対応付けて記憶されている送信機識別子とが一致しなかった場合、制御部３６は、この測定データを記憶部３１から消去してもよい。取得部３４は、解析システム４０から、測定データを用いた解析の結果に応じた情報を取得する。解析の結果に応じた情報とは、測定データの解析結果そのものを示す情報であってもよいし、解析結果を用いて得られる情報であってもよい。
【００５２】
通信部３５は、所定の通信規格に従って通信を行う。通信部３５が従う通信規格は、無線通信部３２が従う通信規格とは異なっており、一例としては、ＬＴＥ（Long Term Evolution）等の移動通信規格、又はＷｉ−Ｆｉ等の無線ＬＡＮ規格である。制御部３６は、ユーザ端末３０の他の要素を制御する。ＵＩ部３７は、ユーザ端末３０のユーザに対するＵＩを提供する。ＵＩ部３７は、ユーザから指示又は情報の入力を受け付ける受け付け部（又は入力部）、及びユーザに対して各種の情報を出力する出力部としての機能を有する。出力部には、各種の情報を視覚的に出力する表示部が含まれる。
【００５３】
図１１は、ユーザ端末３０のハードウェア構成を例示する図である。ユーザ端末３０は、ＣＰＵ３０１、メモリ３０２、ストレージ３０３、ＬＴＥチップ３０４、ＷｉＦｉチップ３０５、アンテナ３０６、タッチスクリーン３０７、及びスピーカ３０８を有するコンピュータ装置、例えばスマートフォンである。ＣＰＵ３０１は、プログラムに従って各種の演算を行い、他のハードウェア要素を制御する装置である。メモリ３０２は、各種のデータを記憶する主記憶装置である。ストレージ３０３は、各種のデータ及びプログラムを記憶する補助記憶装置である。ＬＴＥチップ３０４は、ＬＴＥ規格に従って通信するためのチップセットである。ＷｉＦｉチップ３０５は、ＷｉＦｉ規格に従って通信するためのチップセットである。アンテナ３０６は、ＬＴＥチップ３０４及びＷｉＦｉチップ３０５が電波を送受信するためのアンテナである。タッチスクリーン３０７は、情報を表示するディスプレイと、表示装置の画面上に設けられたタッチセンサーとを有する入出力装置である。スピーカ３０８は、音を出力する出力装置である。
【００５４】
この例において、ストレージ３０３は、コンピュータ装置をユーザ端末３０として機能させるためのプログラム（以下「クライアントプログラム」という）を記憶している。ＣＰＵ３０１がクライアントプログラムを実行することにより、図１０に示される機能がコンピュータ装置に実装される。ＣＰＵ３０１がクライアントプログラムを実行している状態において、メモリ３０２及びストレージ３０３は記憶部３１の一例である。ＷｉＦｉチップ３０５及びアンテナ３０６は無線通信部３２の一例である。ＣＰＵ３０１は出力部３３、取得部３４、及び制御部３６の一例である。ＬＴＥチップ３０４及びアンテナ３０６は通信部３５の一例である。
【００５５】
１−４．解析システム４０
図１２は、解析システム４０の機能構成を例示する図である。解析システム４０は、ユーザ端末３０から出力される測定データを用いて、そのユーザの健康状態を解析する。解析システム４０は、ユーザ端末３０とは物理的に別の装置（例えば、いわゆるクラウド）に実装されてもよいし、ユーザ端末３０と同じ装置に実装されてもよい。解析システム４０を例えばクラウドに実装することにより、ユーザ端末３０の負荷を低減できるという効果、及び複数のユーザに関する測定データを統計処理できるという効果が奏される。解析システム４０をユーザ端末３０と同じ装置に実装することにより、ユーザ端末３０をスタンドアローンで使用できるという効果、及び測定データのプライバシーが保たれるという効果が奏される。ここでは一例として、解析システム４０がクラウドに実装される例を用いる。
【００５６】
解析システム４０は、通信部４１、記憶部４２、解析部４３、生成部４４、出力部４５、及び制御部４６を有する。通信部４１は、ユーザ端末３０と通信する。記憶部４２は、各種のデータを記憶する。この例において記憶部４２に記憶されるデータには、尿中の特定成分の検知結果（測定データ）を時系列に記録したデータ（以下「時系列データ」という）が含まれる。記憶部４２は、この時系列データを、複数のユーザの各々について記憶する。解析部４３は、時系列データを用いてそのユーザの健康状態を解析する。健康状態の解析は、所定のアルゴリズムに従って行われる。健康状態の解析には、ディープラーニング等のＡＩ（Artificial Intelligence）技術が用いられてもよい。生成部４４は、解析部４３における解析結果に関連する情報（以下「関連情報」という）を生成する。関連情報は、例えば以下の（１）〜（４）の少なくとも１つを含む。
（１）解析結果を直接示す情報（例えば、時系列データをグラフとして視覚化した情報）。
（２）解析結果に解釈を加えた情報（例えば、時系列データから推測した病名を提示する情報）。
（３）解析結果に基づくアドバイス（例えば、糖尿病の可能性があると解析されたユーザに対して、糖尿病に適した食事メニュー又は運動メニュー）。
（４）解析結果に関連する商品の推薦（例えば、ｐＨが低い（酸性の）ユーザに対しては緑葉野菜（例えばケール）を用いた飲料の推薦）。
【００５７】
上記の関連情報は、測定データの解析結果に応じた情報の一例である。出力部４５は、この関連情報を示すデータ（以下「関連情報データ」という）をユーザ端末３０に出力する。制御部４６は、各種の制御を行う。
【００５８】
図１３は、解析システム４０のハードウェア構成を例示する図である。解析システム４０は、ＣＰＵ４０１、メモリ４０２、ストレージ４０３、及びＮＩＣ（Network Interface Controller）４０４を有するコンピュータ装置、例えばインターネット上のサーバ装置である。ＣＰＵ４０１は、プログラムに従って各種の演算を行い、他のハードウェア要素を制御する装置である。メモリ４０２は、各種のデータを記憶する主記憶装置である。ストレージ４０３は、各種のデータ及びプログラムを記憶する補助記憶装置である。ＮＩＣ４０４は、所定の通信規格（例えばイーサネット（登録商標））に従った通信を行うための装置である。
【００５９】
この例において、ストレージ４０３は、コンピュータ装置を解析システム４０として機能させるためのプログラム（以下「解析プログラム」という）を記憶している。ＣＰＵ４０１が解析プログラムを実行している状態において、ＮＩＣ４０４は通信部４１の一例である。メモリ４０２及びストレージ４０３は記憶部４２の一例である。ＣＰＵ４０１は、解析部４３、生成部４４、出力部４５、及び制御部４６の一例である。
【００６０】
２．動作
図１４は、健康補助システム１の動作の概要を例示する図である。ステップＳ１において、健康補助システム１は、ユーザの尿を測定する。ステップＳ２において、健康補助システム１は、測定データを解析する。ステップＳ３において、健康補助システム１は、測定データの解析結果に応じた情報をユーザに提供する。
【００６１】
２−１．測定
図１５は、測定処理の詳細を例示するシーケンスチャートである。ここでは、図２の尿センサー１０が用いられる例を説明する。送信機２０とユーザ端末３０とはBluetooth（登録商標）規格に従って通信する。送信機２０とユーザ端末３０とのペアリングは、図１５のシーケンスに先立って、所定の手順にしたがって完了している。この例において送信機２０の電源は常にオン状態であり、送信機２０とユーザ端末３０とは、Bluetooth（登録商標）のペアリングが常に確立された状態である。なお、送信機２０とユーザ端末３０とは、常に接続された状態ではなく、スリープモード等に移行した場合には接続を解除してもよい。
【００６２】
ステップＳ１０１において、ユーザは尿センサー１０を準備する。例えば、尿センサー１０は、１個ずつ包装された状態で販売される。センサー素子１２の上には保護フィルムが貼られている。ユーザは、尿センサー１０の包装を開け、センサー素子１２から保護フィルムを剥がす。ステップＳ１０２において、ユーザは、尿センサー１０を送信機２０に取り付ける。尿センサー１０を送信機２０に取り付けると、送信機２０から尿センサー１０に電力が供給される。電力が供給されると、尿センサー１０は、測定結果を示す信号を出力する（ステップＳ１０３）。尿センサー１０は、電力が供給されている間、継続的に信号を出力する。送信機２０は、ユーザ端末３０とペアリング（コネクション）が確立されている間、測定データを一定の時間間隔でユーザ端末３０に送信し続ける。ユーザ端末３０は、このコネクションを介して送信機２０から測定データ継続して受信する。
【００６３】
ステップＳ１０４において、ユーザは排尿する。ステップＳ１０５において、ユーザは尿センサー１０のシート１５が取り付けられた面で陰茎又は陰唇（つまり尿）を拭く。尿と触れると、センサー素子１２が尿と反応して、出力信号（例えば電圧値）が変化する。
【００６４】
図１６は、測定値の時間変化を例示する図である。横軸は時間を、縦軸は測定値（例えば尿中の特定成分の濃度）を示している。尿センサー１０が取り付けられていない間、入力部２１の入力端子は開放されているので電圧値は測定されず、測定値は得られない。時刻ｔ１において尿センサー１０が送信機２０に取り付けられ、測定値が得られ始める。ただしこの時点ではセンサー素子１２は尿に触れていないので、測定値はほぼゼロを示す。時刻ｔ２においてユーザが尿を拭き、尿とセンサー素子１２とが反応を開始する。反応はある時定数をもって進行し、最終的に収束する。
【００６５】
再び図１５を参照する。ユーザ端末３０は、送信機２０から受信する測定データを記憶部３１に記憶する（ステップＳ１０６）。制御部３６は、測定データにより示される測定値が所定の収束条件を満たしたか判断する（ステップＳ１０７）。収束条件が満たされたと判断された場合、ＵＩ部３７は、例えば測定が成功したことを示すメッセージを表示する（ステップＳ１０８）。出力部３３は、収束した測定値を示す測定データに、属性データを付加する。属性データは、測定値の属性を示すデータであり、この例においては、測定時刻を示すタイムスタンプ及び測定の対象となったユーザを特定するユーザ識別子を含む。記憶部３１は、収束した測定値を示す測定データを記憶する（ステップＳ１０９）。出力部３３は、解析システム４０に測定データを出力する（ステップＳ１１０）。
【００６６】
測定データを解析システム４０に出力すると、ＵＩ部３７は、尿センサー１０を捨てるように促すメッセージを表示する。このとき、ＵＩ部３７は、尿センサー１０の捨て方を解説する動画を再生してもよい。ユーザは、尿センサー１０を送信機２０から取り外す。ユーザは、さらに、尿センサー１０において、基材１１からシート１５を剥がしてトイレに流す。ユーザは、シート１５を剥がした基材１１を折りたたんで捨てる（ステップＳ１１１）。
【００６７】
本実施形態によれば、ユーザが尿を拭くという行為に付随させて、尿の測定を行い、その結果を記録することができる。尿センサー１０は使い捨てであり、ユーザにとって取り扱いが容易である。
【００６８】
２−２．解析
図１７は、解析処理の詳細を例示するシーケンスチャートである。ステップＳ２０１において、解析システム４０の通信部４１は、ユーザ端末３０から測定データを受信する。ステップＳ２０２において、記憶部４２は、測定データ及び属性データを記憶する。この例において属性データはタイムスタンプ及びユーザ識別子を含んでいるので、複数の測定タイミングにおける測定データが蓄積されると、記憶部４２は、尿中の特定成分の検知結果を時系列で記憶するといえる。また、この例において尿センサー１０は尿中の複数の成分を検知するので、記憶部４２は、尿中の複数の特定成分の検知結果を時系列で記憶するといえる。
【００６９】
図１８は検知結果の時系列を例示する図である。この例においては、尿からｐＨ、尿酸値、シュウ酸値、及び尿糖値が検知される。図において、横軸は日時を、縦軸は測定値を示している。ユーザは例えば排尿の度に尿センサー１０を用いた測定を行っており、１日平均４回の測定が継続して行われている。この例によれば尿中の４つの成分について、その濃度の経時変化が記録される。
【００７０】
再び図１７を参照する。ステップＳ２０３において、解析部４３は、あるユーザについて健康状態の解析をトリガするイベントを検知する。このイベントは、健康状態の解析の対象となるユーザ（以下「対象ユーザ」という）を特定するユーザ識別子を解析システム４０が受信する処理を含む。このイベントは、例えば、ユーザ端末３０においてユーザが健康状態の解析を指示した（ことが解析システム４０に通知された）というイベントである。あるいは、このイベントは、ユーザ端末３０から新たな測定データを受信したというイベントであってもよい。さらにあるいは、このイベントは、前回、対象ユーザについて健康状態の解析を行ってから所定の時間が経過したというイベントである。健康状態の解析をトリガするイベントが検知された場合、解析部４３は、処理をステップＳ２０４に移行する。
【００７１】
ステップＳ２０４において、解析部４３は、ユーザ識別子により特定される対象ユーザの健康状態を解析する。健康状態の解析には、尿センサー１０における検知結果を示す時系列データが用いられる。尿センサー１０が尿中の複数の成分を検知する場合、解析部４３は、これら複数の成分の検知結果を参照し、対象ユーザの健康状態を総合的に判断する。
【００７２】
なおセンサー素子１２が測定する成分（測定項目）は上記の例に限定されない。センサー素子１２は、例えば、以下の（１）〜（１２）のうち少なくとも１つの成分を検知する。なお以下の測定項目及びその解釈はあくまで一例である。
（１）ｐＨ
尿が酸性の場合、糖尿病又、循環器疾患、又はアルコール中毒の可能性がある。尿がアルカリ性の場合、尿路感染症又は腎疾患の可能性がある。
（２）尿酸
尿酸値が高いと痛風の可能性がある。
（３）シュウ酸
シュウ酸値が高いと尿管結石の可能性がある。
（４）尿糖（ブドウ糖）
尿糖値が高いと糖尿病の可能性がある。ただし、食事によって尿糖値は変動するので、朝食前の尿を測定する必要がある。
（５）タンパク質
タンパク質の濃度が高いと腎機能が低下している可能性がある。
（６）ビリルビン
ビリルビンとはヘモグロビンの胆汁色素である。ビリルビンの濃度が高いと肝機能障害又は胆道閉塞の可能性がある。
（７）ウロビリノーゲン
ウロビリノーゲンとはビリルビンが腸内細菌によって分解されたものである。ウロビリノーゲンの値が高いと、肝臓又は胆嚢に障害がある可能性がある。
（８）比重
尿の比重は、尿素又は塩化ナトリウム等、水分以外の成分に依存する。比重が低いと腎不全の可能性がある、高いと糖尿病又は脱水症状の可能性がある。
（９）潜血
潜血の濃度が高いと腎臓、尿管、又は膀胱に異常がある可能性がある。
（１０）ケトン体
ケトン体とは、脂肪分解時の中間代謝物である。ケトン体濃度が高いと、糖尿病、発熱（風邪又はインフルエンザ）、過度なダイエットの可能性がある。
（１１）亜硝酸塩
食品中の硝酸塩が最近によって亜硝酸塩に変わることがある。亜硝酸塩の濃度が高いと膀胱又は尿路の感染症の可能性がある。
（１２）白血球
白血球の濃度が高いと、腎臓、膀胱、前立腺、又は精嚢腺に炎症がある可能性がある。
【００７３】
２−３．情報提供
図１９は、情報提供処理の詳細を例示する図である。ステップＳ３０１において、生成部４４は、健康状態の解析結果に応じた関連情報を生成する。関連情報としては、例えば、（１）解析結果を直接示す情報、（２）解析結果に解釈を加えた情報、（３）解析結果に基づくアドバイス、及び（４）解析結果に関連する商品の推薦、のうち少なくとも１つが用いられるが、どの情報が関連情報として提供されるかは、例えばユーザにより指定される。あるいは、解析システム４０が、解析結果に応じてどの情報を関連情報として提供するか決定してもよい。例えば、解析結果が、対象ユーザの健康状態に特に異常が無いことを示していた場合、解析システム４０は、解析結果を直接示す情報（例えば測定データのグラフ）及び解析結果に解釈を加えた情報（例えば「異常なし」の表示）を関連情報としてユーザ端末３０に提供する。あるいは、解析結果が、対象ユーザの健康状態において新たな異常（前回までは発見されていなかった異常）を示していた場合、解析システム４０は、解析結果を直接示す情報（例えば測定データのグラフ）、解析結果に解釈を加えた情報（例えば疑われる病名）、及び解析結果に基づくアドバイス（例えばその病気の専門医がいる病院の紹介）を関連情報としてユーザ端末３０に提供する。さらにあるいは、解析結果が、対象ユーザの健康状態において慢性的に発生している異常を示していた場合、解析システム４０は、解析結果に解釈を加えた情報（例えば不足している栄養素）、及び（４）解析結果に関連する商品の推薦（その栄養素を摂取できるサプリメントの紹介）を関連情報としてユーザ端末３０に提供する。出力部４５は、生成部４４が生成した関連情報を、対象ユーザのユーザ端末３０に出力する（ステップＳ３０２）。
【００７４】
ユーザ端末３０の取得部３４は、解析システム４０から関連情報を取得する。ステップＳ３０３において、ＵＩ部３７は、関連情報をユーザに提供する。すなわち、ＵＩ部３７は、関連情報に含まれる画像、文字列、文書、又はウェブページを表示したり、動画を再生したり、若しくは音声を出力したりする。
【００７５】
本実施形態によれば、ユーザの尿中の成分を簡単に測定することができ、さらに、その測定結果に応じた情報を簡単にユーザに提供することができる。
【００７６】
３．変形例
第１実施形態について種々の変形実施が可能である。以下、変形例をいくつか説明する。以下の変形例のうち２つ以上のものが組み合わせて用いられてもよい。
【００７７】
３−１．変形例１（送信機２０の形状）
図２０は、送信機２０の別の例を示す図である。送信機２０の形状は図９において例示したものに限定されない。図２０は、送信機２０が、ユーザの体に装着されるウェアラブルデバイス、より具体的には手袋（ミトン）の形状を有する例を示す。ウェアラブルデバイスとは、ユーザが身につけることができる形状を有する装置をいい、例えば、帽子、眼鏡、腕時計、リストバンド、手袋、シャツ、パンツ、靴下、又は靴に埋め込まれた装置をいう。図２０においては図示を省略するが、ＣＰＵ２０１等のハードウェア要素は手の甲に相当する位置に内蔵されている。この例において、送信機２０は脱着機構２９を有しておらず、代わりに電極２９１を有している。電極２９１は、尿センサー１０と電気的な接続を得るための接触部の一例であり、送信機２０（手袋）の表面に露出している。この送信機２０に対応する尿センサー１０も、脱着機構１３に代えて（又は加えて）、送信機２０と電気的な接続を得るための電極１６を有する。電極１６は、基材１１に露出している。電極２９１及び電極１６は、ユーザが送信機２０（手袋）をはめた状態で尿センサー１０を持つと互いに接触する位置、形状、及び大きさに設計されている。
【００７８】
排尿に際し、ユーザは送信機２０（手袋）を手にはめる。ユーザは尿センサー１０を準備する。ユーザは、送信機２０（手袋）をはめた手で尿センサー１０を持つ。この状態で尿センサー１０と送信機２０との電気的接続が確立され、尿センサー１０からの出力信号がユーザ端末３０に送信される。尿を拭き終わると、ユーザは送信機２０（手袋）を脱ぎ、尿センサー１０を捨てる。送信機２０（手袋）は再利用される。
【００７９】
３−２．変形例２（信号伝送）
尿センサー１０から送信機２０への信号の伝送経路は、両者の電極の接点を介するものに限定されない。尿センサー１０から送信機２０への信号の伝送には、電磁誘導による非接触の信号伝送が用いられてもよい。この場合、送信機２０は、尿センサー１０と電磁誘導による非接触の信号伝送を行う伝送部（図示略）を有する。
【００８０】
あるいは、送信機２０をいわゆる非接触ＩＣカードとして基材１１に埋め込んでもよい。この場合、送信機２０において電池は不要で、リーダー／ライター装置から発信される電磁波によって得られる誘導起電力により送信機２０の回路が動作する。このリーダー／ライター装置は、例えばユーザ端末３０に内蔵される。あるいは、このリーダー／ライター装置は、ユーザ端末３０に接続される外付け装置として提供されてもよい。この場合において、送信機２０は基材１１から着脱不能でもよく、基材１１と共に燃えるゴミとして捨てられるか、又は水洗トイレに流されてもよい。
【００８１】
３−３．変形例３（脱着機構）
尿センサー１０及び送信機２０において、脱着機構１３及び脱着機構２９の具体例は実施形態において例示したものに限定されない。実施形態においては、脱着機構１３及び脱着機構２９がスナップフィットにより形成される例を説明したが、脱着機構１３及び脱着機構２９は、導電性材料を用いた面ファスナーを用いたものであってもよい。
【００８２】
３−４．変形例４（データ）
ユーザ端末３０から解析システム４０に出力されるデータは測定データに限定されない。ユーザの健康状態の判断に用いられる情報であれば、測定データ以外の他のデータが解析システム４０に出力されてもよい。他のデータは、例えば、ユーザが摂取した飲食物に関する情報を含むデータ（以下「飲食物データ」という）である。飲食物に関する情報とは、例えば、飲食物を摂取した時刻、摂取した飲食物の名前、及び摂取した量を特定する情報である。あるいは、他のデータは、ユーザが行った運動に関する情報、例えば、運動の強度及び運動時間を特定する情報を含むデータであってもよい。さらにあるいは、他の情報は、ユーザの属性（年齢、性別、及び既往歴等）を含んでもよい。これらのデータが提供された場合、解析システム４０は、測定データに加えてこれらのデータも考慮してユーザの健康状態を解析する。すなわち、生成部４４は、測定データ及び飲食物データに応じて関連情報を生成する。
【００８３】
飲食物データは、例えば、食事の写真を含んでもよい。ユーザは食事を取る際、ユーザ端末３０で料理の写真を撮る。ユーザ端末３０は、写真を撮るためのカメラ（図示略）を内蔵している。ユーザ端末３０は、料理の写真を解析システム４０に出力する。この写真にはタイムスタンプが付与されており、このタイムスタンプにより飲食物を摂取した時刻が得られる。解析システム４０は、料理の写真を解析してカロリーや栄養素を判断するＡＩにアクセスし、ユーザが取った食事のカロリー及び栄養素を示す情報を取得する。
【００８４】
一例において、健康補助システム１は、機能性食品又は健康補助食品（以下「健康食品」という）の効果の実証に用いられてもよい。例えば、ある種の青葉野菜のジュースには、体をアルカリ性にする効果があることが知られている。本実施形態に係る健康補助システム１によれば、これらの健康食品の効果を実証（見える化）することができる。
【００８５】
図２１は、健康食品の効果実証を例示する図である。図２１は、ユーザ端末３０におけるＵＩ画面を例示する図である。この画面は、その健康食品に関連する成分（例えばｐＨ）の経時変化を示すグラフを含む。さらに、このグラフ上に、その健康食品を摂取したタイミングが示される。この例においては、その健康食品を摂取した時刻に相当する位置に、アイコン９１が示される。図の例では、健康食品を摂取した直後に尿がアルカリ性に変化し、その後徐々に尿が酸性側に変化していく。この例によれば、健康食品を摂取したことによる効果を視覚的に表すことができる。このシステムを用いれば、ユーザの健康維持及び病気の予防のモチベーションを向上させ、さらには健康食品の販売を促進することができる。
【００８６】
３−５．変形例５（送信機共用）
実施形態において、１台の送信機２０は特定のユーザに専用のものであった。しかし、１台の送信機２０が複数のユーザにより共有されてもよい。この場合、送信機２０の各々異なる識別子（又はユーザ）に対応する複数の記憶領域を有する。すなわち各記憶領域には、個別の識別子が設定される。一の識別子は一のユーザにより使用される。例えば記憶部２３が４つの識別子（４つの記憶領域）を有する場合、送信機２０は最大で４人のユーザによる共有が可能である。この例において、送信機２０は、さらに受け付け部（図示略）を有する。受け付け部は、複数の識別子のうちいずれかの指定を受け付ける。受け付け部は、ＵＩ要素の一種であり、例えば、スイッチである。記憶部２３は、複数の記憶領域のうち受け付け部を介して指定された一の識別子に対応する記憶領域に、測定データを記憶する。無線通信部２４は、受け付け部を介して指定された一の識別子に対応する記憶領域に記憶されているデータ、及びその一の識別子を示す無線信号を送信する。例えば、これら４人のユーザがそれぞれ固有のユーザ端末３０を有している場合、送信機２０は、これら４台のユーザ端末３０のうち、受け付け部により指定されたユーザに対応するユーザ端末３０とコネクションを確立する。
【００８７】
１台の送信機２０が複数のユーザにより共有される場合において、送信機２０は、複数のユーザに対応する複数の記憶領域を有していなくてもよい。この場合において、例えばユーザ端末３０が複数のユーザにより共有する。ユーザ端末３０は、いわゆるログイン処理によりユーザを切り替える。ユーザ端末３０は、ログインしているユーザのユーザ識別子を測定データに付加する。
【００８８】
３−６．変形例６（暗号化）
送信機２０は、ユーザ端末３０に測定データを送信する際、測定データを暗号化してもよい。この場合、送信機２０とユーザ端末３０とは、測定データの送受信に先立って暗号鍵を交換する。一例においては、ユーザ端末３０が、送信機２０に暗号鍵を送信する。送信機２０は、この暗号鍵を用いて暗号化してから、測定データをユーザ端末３０に送信する。ユーザ端末３０は、送信機２０に送信した暗号鍵と対応する復号鍵を用いて測定データを復号する。測定データは一種の個人情報であるといえるので、平文のまま送信するとセキュリティ上のリスクがあるが、暗号化によりセキィリティ上のリスクを低減できる。
【００８９】
３−７．変形例７（収束条件）
尿センサー１０から得られる測定値が収束したと判断するための収束条件は、実施形態において例示されたものに限定されない。例えば、尿センサー１０の提供事業者は、尿センサー１０において測定値が収束するまでの時間τを事前に実験で確認する。尿センサー１０の提供事業者は、時間τの値をクライアントプログラムに設定する。ユーザ端末３０の制御部３６は、測定値が得られ始めた時刻（例えば図１４の時刻ｔ２）からの経過時間がτを超えたときに、測定値が収束したと判断してもよい。あるいは、ユーザ端末３０は、測定値が収束したか否かの判断をせず、測定値が得られ始めた時刻以後、一定の時間間隔で測定データを解析システム４０に出力し、解析システム４０が、測定値が収束したか否かの判断を行ってもよい。測定値が収束したと判断した場合、解析システム４０はその旨をユーザ端末３０に通知する。この通知を受けると、ユーザ端末３０は測定データの出力を停止する。
【００９０】
３−８．変形例８（時分割処理）
実施形態においては複数のセンサー素子１２からの出力信号を、送信機２０が時分割でユーザ端末３０に無線送信する例を説明した。尿センサー１０が複数のセンサー素子１２を有する場合であっても、送信機２０はすべてのセンサー素子１２からの出力信号を時分割で送信しなくてもよい。例えば送信機２０は、複数のセンサー素子１２のうち、ユーザにより選択された一部（例えば１つ）のセンサー素子１２からの出力信号のみを出力する。この場合、送信機２０は対象となるセンサー素子１２を選択するためのＵＩ要素（例えばスイッチ）を有してもよい。あるいは、ユーザは対象となるセンサー素子１２をユーザ端末３０において選択し、ユーザ端末３０が、対象となるセンサー素子１２を特定する情報を送信機２０に送信してもよい。送信機２０は、複数のセンサー素子１２のうち、ユーザにより選択された一部のセンサー素子１２の出力信号のみを時分割で出力する（単一のセンサー素子１２が選択された場合はそのセンサー素子１２の出力信号のみを時分割せずに出力する）。
【００９１】
別の例において、送信機２０ではなく尿センサー１０が、時分割処理の機能を有してもよい。この場合、尿センサー１０は、選択回路２２２に相当する回路を有する。尿センサー１０は、複数のセンサー素子１２からの出力信号が時分割多重された信号を送信機２０に出力する。この例によれば、尿センサー１０から送信機２０へ信号を伝送するための出力端子及び入力端子の数を減らすことができる。
【００９２】
３−９．変形例９（測定項目の組み合わせ）
尿センサー１０の提供事業者は、複数のセンサー素子１２を有する尿センサー１０を提供するにあたり、異なる種類のセンサー素子１２を組み合わせてもよい。例えば、４つのセンサー素子１２を有する尿センサー１０を提供するにあたり、ある製品（以下、尿センサー１０Ａという）においては、センサー素子１２Ａ〜Ｄが、ｐＨ、尿酸、シュウ酸、及び尿糖を測定するものであり、別の製品（以下、尿センサー１０Ｂという）においては、センサー素子１２Ａ〜Ｄが、比重、潜血、ケトン体、及び亜硝酸塩を測定するものであってもよい。尿センサー１０の提供事業者は、センサー素子１２の組み合わせ（測定項目の組み合わせ）に対し識別コードを付与する。この識別コードは、例えば、文字列（例えば識別番号）又は画像（例えばいわゆる二次元バーコード）である。この識別コードは、例えば、基材１１の表面又は尿センサー１０のパッケージに記載されている。ユーザは、例えば基材１１又はパッケージに記載されている識別コードをユーザ端末３０に入力する。ユーザ端末３０は、識別コードを測定項目の組み合わせに変換する情報を（例えば解析システム４０から取得して）有しており、この情報を参照して、どのセンサー素子１２の出力信号がどの測定項目の結果を示しているか判断する。この例によれば、測定項目の多様な組み合わせを有する尿センサー１０を提供することができる。
【００９３】
３−１０．変形例１０（処理の分担）
各装置における処理の分担は、実施形態において説明したものに限定されない。例えば、実施形態において解析システム４０において行われる処理の少なくとも一部を、ユーザ端末３０が実行してもよい。一例としては、ユーザ端末３０の記憶部３１は、測定データを時系列に記憶してもよい。制御部３６は、記憶部３１において記憶されている時系列の測定データを用いて、時系列データを生成する、又は、制御部３６は、時系列の測定データに何らかの統計処理を行い、統計処理された測定データを生成する。ユーザ端末３０は生成したデータを解析システム４０に出力する。
【００９４】
別の例において、ユーザ端末３０が測定データを解析システム４０に出力する場合であっても、解析システム４０に出力したものと同じデータを、ユーザ端末３０の記憶部３１が記憶してもよい。特に解析システム４０がいわゆるクラウドに実装される場合において、記憶部３１に測定データを記憶しておけば、測定データの確認や統計処理等、一部の処理をローカルで（ネットワークに接続せずに）実行することができる。
【００９５】
３−１１．変形例１１（基材の形状）
基材１１の形状及び材料は実施形態において例示したものに限定されない。例えば、基材１１は被験者が着用するオムツであってもよい。
【００９６】
３−１２．他の変形例
本発明は上記の実施形態に限定されるものではなく、種々の変形実施が可能である。以下、変形例をいくつか説明する。以下の変形例は、上記の実施形態に適用可能である。また、以下の変形例のうち２つ以上のものが組み合わせて適用されてもよい。さらに、各実施形態及び変形例の少なくとも一部が、他の実施形態及び変形例の少なくとも一部と組み合わせられてもよい。
【００９７】
上記の実施形態において尿が測定される例を説明したが、測定の対象は尿に限定されない。本発明に係る健康補助システムは、汗、唾液、又は血液等、尿以外の体液を測定してもよい。
【００９８】
上記の実施形態に係る健康補助システムを構成する各要素の具体的なハードウェア構成は、実施形態で例示したものに限定されない。各要素は、どのようなハードウェア構成を有していてもよい。
【図１】
2019187018.tif 000003
【図２】
2019187018.tif 000004
【図３】
2019187018.tif 000005
【図４】
2019187018.tif 000006
【図５】
2019187018.tif 000007
【図６】
2019187018.tif 000008
【図７】
2019187018.tif 000009
【図８】
2019187018.tif 000010
【図９】
2019187018.tif 000011
【図１０】
2019187018.tif 000012
【図１１】
2019187018.tif 000013
【図１２】
2019187018.tif 000014
【図１３】
2019187018.tif 000015
【図１４】
2019187018.tif 000016
【図１５】
2019187018.tif 000017
【図１６】
2019187018.tif 000018
【図１７】
2019187018.tif 000019
【図１８】
2019187018.tif 000020
【図１９】
2019187018.tif 000021
【図２０】
2019187018.tif 000022
【図２１】
2019187018.tif 000023
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
体液中の特定の成分に応じた出力信号を出力するセンサーと、
前記センサーと接続される、非ウェアラブル形状の送信機と、
ユーザに所持されるユーザ端末と
を有し、
前記送信機は、
前記センサーの前記出力信号が入力される入力部と、
自身の識別子を記憶する記憶部と、
前記出力信号に応じたデータ及び前記識別子を示す無線信号を送信する無線通信部と
を有し、
前記ユーザ端末は、
前記ユーザに対応する識別子を記憶する記憶部と、
前記送信機から前記無線信号を受信する無線受信部と、
前記無線信号により示される識別子と前記記憶部に記憶されている識別子とが適合した場合、前記データにより示される前記特定の成分に基づいて前記ユーザの健康状態の解析をする解析システムに対し、当該データを出力する出力部と、
前記解析システムから前記解析の結果に応じた情報を取得する取得部と
を有する
健康補助システム。
【請求項２】
前記センサーは、
非ウェアラブル形状の基材と、
前記基材に取り付けられたセンサー素子と、
前記送信機を脱着可能に固定し、かつ前記センサーの前記出力信号の伝送経路を有する脱着機構と
を有する
請求項１に記載の健康補助システム。
【請求項３】
前記センサーは、前記センサー素子を覆うシートを有し、
前記基材は平面状の可燃物で形成され、
前記シートは、前記基材より柔らかい紙で形成される
請求項２に記載の健康補助システム。
【請求項４】
前記シートは、他の領域よりも薄い薄領域を有し、
前記基材に前記シートが取り付けられた状態で、前記薄領域が前記センサー素子を覆う
請求項３に記載の健康補助システム。
【請求項５】
前記シートは、ポケットを有し、
前記センサー素子は、前記ポケットに収納される
請求項３又は４に記載の健康補助システム。
【請求項６】
前記基材は、前記センサー素子が取り付けられた面において、当該基材を折りたたむための粘着層を有する
請求項３乃至５のいずれか一項に記載の健康補助システム。
【請求項７】
前記シートのうち前記基材と対向する面の、前記粘着層を覆う位置において当該シートに接着された保護フィルムを有し、
前記シートが前記基材に取り付けられた状態で前記粘着層は露出せず、
前記基材から前記シートを剥がすと前記粘着層が露出する
請求項６に記載の健康補助システム。
【請求項８】
前記センサー素子は、
体液中の第１成分を検知するための第１センサー素子と、
体液中の、前記第１成分と異なる第２成分を検知するための第２センサー素子と
を有する
請求項２乃至７のいずれか一項に記載の健康補助システム。
【請求項９】
前記送信機は、
前記第１センサー素子の出力信号が入力される第１端子と、
前記第２センサー素子の出力信号が入力される第２端子と、
前記第１端子を介して入力される信号及び前記第２端子を介して入力される信号を時分割で処理する処理部と
を有する請求項８に記載の健康補助システム。
【請求項１０】
前記センサーは、
前記第１センサー素子の出力信号及び前記第２センサー素子の出力信号を時分割で選択する選択回路と、
前記選択回路により選択された信号を出力する出力端子と
を有する請求項８に記載の健康補助システム。
【請求項１１】
前記記憶部は、各々異なる識別子に対応する複数の記憶領域を有し、
前記送信機は、前記複数の記憶領域のいずれかの指定を受け付ける受け付け部を有し、
前記記憶部は、前記複数の記憶領域のうち前記受け付け部を介して指定された一の記憶領域に、前記出力信号により示されるデータを記憶し、
前記無線通信部は、前記指定された一の記憶領域に記憶されている前記データ及び当該一の記憶領域に対応する識別子を示す前記無線信号を送信する
請求項１乃至１０のいずれか一項に記載の健康補助システム。
【請求項１２】
前記健康補助システムは、前記解析システムを有し、
前記解析システムは、
前記特定の成分の検知結果を時系列で示す時系列データを、複数のユーザの各々について記憶する記憶部と、
前記複数のユーザのうち対象となるユーザについて、当該ユーザの時系列データを用いて、前記検知結果に関連する関連情報を生成する生成部と、
前記ユーザに対応するユーザ端末に対し、前記関連情報を出力する出力部と
を有する
請求項１乃至１１に記載の健康補助システム。
【請求項１３】
前記ユーザ端末は、当該ユーザが摂取した飲食物を特定する情報の入力を受け付ける受け付け部を有し、
前記出力部は、前記ユーザが摂取した飲食物に関する情報を出力する
請求項１２に記載の健康補助システム。
【請求項１４】
前記生成部は、前記飲食物に関する情報及び前記データに応じて前記関連情報を生成する
請求項１３に記載の健康補助システム。
【請求項１５】
前記生成部は、体液中の前記特定成分の経時変化及び前記飲食物を摂取したタイミングを示す画像を前記関連情報として生成する
請求項１４に記載の健康補助システム。
【請求項１６】
前記送信機は、前記センサーへの給電機能を有する
請求項１乃至１５に記載の健康補助システム。
【請求項１７】
体液中の特定の成分に応じた出力信号を出力するセンサー、前記センサーと接続される、非ウェアラブル形状の送信機、及びユーザに所持されるユーザ端末を有する健康補助システムを用いた健康補助方法であって、
前記送信機が、前記センサーの出力信号に応じたデータ及び当該送信機の前記識別子を示す無線信号を送信するステップと、
前記ユーザ端末が、前記送信機から無線信号を受信するステップと、
前記ユーザ端末が、前記無線信号により示される識別子と前記ユーザに対応する識別子とが適合した場合、前記データにより示される前記特定の成分に基づいて前記ユーザの健康状態の解析をする解析システムに対し、当該データを出力するステップと、
前記解析システムから前記解析の結果に応じた情報を取得するステップと
を有する健康補助方法。
【請求項１８】
非ウェアラブル形状の基材と、
前記基材に設けられた第１配線と、
前記基材に設けられた第２配線と、
前記第１配線及び前記第２配線に接続され、体液中の特定の成分に応じた出力信号を出力するセンサー素子と、
前記出力信号を示すデータを他の装置に無線送信する送信機を脱着可能に固定し、かつ前記第１配線及び前記第２配線に接続され、前記第１配線及び前記第２配線を介して伝送される出力信号の伝送経路を有する脱着機構と
を有するセンサー。
【請求項１９】
体液中の特定の成分に応じた出力信号を出力するセンサーと、
前記センサーと接続される非ウェアラブル形状の送信機と
を有し、
前記送信機は、
前記センサーの出力信号が入力される入力部と、
自身の識別子を記憶する記憶部と、
前記出力信号に応じたデータ及び前記識別子を示す無線信号を、ユーザに所持されるユーザ端末に送信する無線通信部と
を有する
健康補助システム。
【国際調査報告】
2019187018.tif 000024
2019187018.tif 000025
2019187018.tif 000026
2019187018.tif 000027
2019187018.tif 000028
2019187018.tif 000029
2019187018.tif 000030
2019187018.tif 000031